(57)【特許請求の範囲】
【請求項１】
相手方コネクタと嵌合する端子を保持するハウジングと、このハウジングに相対的にスライド可能となるように取付けられるスライダと、前記ハウジングに回動可能に取付けられ、かつ、前記相手方コネクタに設けられたカム構成要素と係合可能な第１カム部及び前記スライダに設けられたカム構成要素と係合可能な第２カム部を有するカム部材とを備え、前記第１カム部が前記相手方コネクタのカム構成要素に係合され、かつ、前記第２カム部が前記スライダのカム構成要素に係合された状態で前記スライダがハウジングに対して相対的にスライドすることにより、そのスライド力が前記カム部材のカム作用によって当該スライド力よりも大きなコネクタ同士の嵌合力に変換されるように前記第１カム部及び第２カム部の形状が設定されるとともに、前記ハウジングに、前記カム部材をその第２カム部が前記スライダと係合可能な回動角度位置に係脱可能に係止する係止部が設けられていることを特徴とするコネクタ。
【請求項２】
請求項１記載のコネクタにおいて、前記スライダに、当該スライダが前記第２カム部に係合される際に前記係止部による前記カム部材の係止を強制解除する係止解除部が設けられていることを特徴とするコネクタ。
【請求項３】
請求項２記載のコネクタにおいて、前記ハウジングに前記スライダに対して接離する方向に撓み変形可能な撓み部が設けられ、この撓み部に前記係止部が設けられており、前記スライダの係止解除部は、当該スライダが前記第２カム部に係合される際に前記撓み部を撓み変形させて当該撓み部の係止部を変位させることにより前記係止を強制解除するものであることを特徴とするコネクタ。
【請求項４】
請求項３記載のコネクタにおいて、前記係止解除部は、前記撓み部に向かう方向へ突出する係止解除用突起であり、この係止解除用突起が前記撓み部を押圧して撓み変形させることを特徴とするコネクタ。
【請求項５】
請求項２〜４のいずれかに記載のコネクタにおいて、前記第２カム部はスライダ側に突出するカム用突起であり、当該カム用突起が嵌まり込むカム溝が前記スライダの側壁に設けられるとともに、前記カム用突起がカム溝に嵌まり込む位置へスライダが到達するまでの間に当該カム溝が設けられているスライダの側壁が撓み変形しながら前記カム用突起上に乗り上げるように構成されていることを特徴とするコネクタ。
【請求項６】
請求項１〜５のいずれかに記載のコネクタにおいて、前記スライダは、前記ハウジングに保持される端子に接続された電線を後方から覆う形状を有することを特徴とするコネクタ。
【発明の詳細な説明】
【０００１】
【発明の属する技術分野】
本発明は、相手方コネクタとの嵌合に必要な操作力をカム作用により低減するようにしたコネクタに関するものである。
【０００２】
【従来の技術】
従来、相手方コネクタとの嵌合に必要な操作力を低減させる機能をもったコネクタとして、例えば特開平１０−２１９９２号公報に示されるものが知られている。
【０００３】
このコネクタは、端子を保持するハウジングと、これをスライド可能に保持するホルダとを備え、これらハウジングとホルダとの間にカム部材である揺動レバーが介在している。この揺動レバーは、前記ハウジングに揺動可能に取付けられるとともに、相手方コネクタに設けられたピンに係合するカム溝と、前記ホルダに設けられた案内溝に嵌まり込む係合ピンとを有している。そして、この揺動レバーのカム溝が前記相手方コネクタのピンに係合し、かつ、係合ピンが前記ホルダの案内溝に係合された状態で、前記ホルダに対してハウジングが相対的にスライド運動するのに伴い、当該ハウジングに対して前記揺動レバーが揺動し、その揺動によってコネクタ同士を嵌合するための嵌合力が生成されるように、前記カム溝及び案内溝の形状が設定されている。
【０００４】
すなわち、このコネクタは、ハウジングとホルダ（スライダ）との相対的なスライド運動を前記揺動レバーのカム作用によってコネクタ同士を嵌合させる嵌合力に変換し、低いスライド操作力で大きな嵌合力が得られるようにしたものである。
【０００５】
【発明が解決しようとする課題】
前記コネクタを組み上げるためには、まずハウジングに揺動レバーを揺動可能に取付けておき、この揺動レバーを当該レバーが勝手に揺動しないように所定の回動角度位置に指等で保持しながら、当該揺動レバーの係合ピンと前記ホルダの案内溝との係合を行わなければならない。かかる作業は煩雑で面倒であり、生産効率向上の妨げとなる。さらに、かかる組み上げ作業の前にハウジングに端子及びこれにつながる電線を装着してしまうと、当該電線等が邪魔になって前記組み上げ作業がますます困難となる関係上、当該組み上げ作業が終わってから前記端子等の装着を行わざるを得ず、従ってこの端子装着作業も煩雑なものとなる。
【０００６】
本発明は、このような事情に鑑み、カム作用によって低操作力でのコネクタ嵌合を可能にしながら、コネクタ全体の組立作業を容易にしてその生産効率の向上を図ることを目的とする。
【０００７】
【課題を解決するための手段】
前記課題を解決するための手段として、本発明は、相手方コネクタと嵌合する端子を保持するハウジングと、このハウジングに相対的にスライド可能となるように取付けられるスライダと、前記ハウジングに回動可能に取付けられ、かつ、前記相手方コネクタに設けられたカム構成要素と係合可能な第１カム部及び前記スライダに設けられたカム構成要素と係合可能な第２カム部を有するカム部材とを備え、前記第１カム部が前記相手方コネクタのカム構成要素に係合され、かつ、前記第２カム部が前記スライダのカム構成要素に係合された状態で前記スライダがハウジングに対して相対的にスライドすることにより、そのスライド力が前記カム部材のカム作用によって当該スライド力よりも大きなコネクタ同士の嵌合力に変換されるように前記第１カム部及び第２カム部の形状が設定されるとともに、前記ハウジングに、前記カム部材をその第２カム部が前記スライダと係合可能な回動角度位置に係脱可能に係止する係止部が設けられているものである。
【０００８】
この構成によれば、ハウジングに設けられた係止部によりカム部材を所定の回動角度位置に係止しておくことにより、その係止状態のまま、前記ハウジングに難なくスライダを装着することができる。そして、その装着時あるいは装着後に前記係止部によるカム部材の係止を解除することにより、相手方コネクタとの嵌合時にカム部材のカム作用を発揮させることができる。すなわち、比較的低い操作力でハウジングとスライダとを相対的にスライドさせるだけで、このコネクタと相手方コネクタとを十分な力で嵌合させることができる。
【０００９】
ここで、前記カム部材の係止の解除は、例えば指で直接係止部を操作することにより行うようにしてもよいが、前記スライダに、当該スライダが前記第２カム部に係合される際に前記係止部による前記カム部材の係止を強制解除する係止解除部が設けられた構成とすれば、当該スライダの装着の際（すなわち第２カム部に係合される際）にその係止解除部がカム部材の係止を自動的に解除するため、組立作業がより簡略化される。
【００１０】
具体的に、前記係止を解除させるための構成としては、前記ハウジングに前記スライダに対して接離する方向に撓み変形可能な撓み部が設けられ、この撓み部に前記係止部が設けられており、前記スライダの係止解除部は、当該スライダが前記第２カム部に係合される際に前記撓み部を撓み変形させて当該撓み部の係止部を変位させることにより前記係止を強制解除するものが好適である。
【００１１】
この構成によれば、前記撓み部の撓み変形（弾性変形）を利用して、この撓み部に設けられた係止部によるカム部材の係止及び係止解除の切換を容易に行うことができる。
【００１２】
この場合、前記係止解除部としては、例えば、前記撓み部に向かう方向へ突出する係止解除用突起であって、前記撓み部を押圧して撓み変形させるものが好適である。
【００１３】
また、前記第２カム部及びこれに係合するスライダのカム構成要素として、前記第２カム部はスライダ側に突出するカム用突起であり、当該カム用突起が嵌まり込むカム溝が前記スライダの側壁に設けられるとともに、前記カム用突起がカム溝に嵌まり込む位置へスライダが到達するまでの間に当該カム溝が設けられているスライダの側壁が撓み変形しながら前記カム用突起上に乗り上げるように構成されているものが、好適である。この構成によれば、予めカム部材がハウジング側に取付けられた状態にあっても、このカム部材に設けられたカム用突起をスライダの側壁が撓みながら乗り上げることにより、当該スライダの側壁に設けられたカム溝に前記カム用突起が嵌まり込む位置（装着位置）までスライダを容易に至らせることができる。
【００１４】
以上記したように、本発明にかかるコネクタでは、カム部材をハウジング側に所定の回動角度位置で係止したままスライダの装着を容易に行うことができるため、例えば、当該スライダの装着前にハウジングに電線付端子を装着しておくことも可能である。従って、従来のようにスライダを装着してから電線付端子を装着しなければならない場合と異なり、前記スライダを、前記ハウジングに保持される端子に接続された電線を後方から覆う形状にすることも可能であり、これによって、スライダを電線カバーとして兼用することができる。
【００１５】
【発明の実施の形態】
本発明の好ましい実施の形態を図面に基づいて説明する。
【００１６】
図１は、本発明にかかるコネクタＣ１と、その相手方コネクタＣ２とを示したものである。
【００１７】
相手方コネクタＣ２は、前後に延びる多数本の端子４０と、これら端子４０を保持する樹脂製のハウジング４１とを備え、このハウジング４１には前記各端子４０を外側から包囲するフード４２が形成されている。さらに、このフード４２の外周面には、上下一対のカム用ピン４４と、同じく上下一対の操作用突起４６とが形成されている。
【００１８】
一方、本発明にかかるコネクタＣ１は、ハウジング１０と、上下一対のカム板（カム部材）２０と、スライダ３０とを備えている。
【００１９】
ハウジング１０は、全体が例えば樹脂のように弾性をもつ絶縁材料で一体に形成されており、ブロック状の端子保持部１１と、その周囲を覆うフード１２とを有している。
【００２０】
端子保持部１１には、これを前後に貫通する多数の端子収容室１１ａが設けられ、各端子収容室１１ａ内に図略のコネクタ端子が保持されるとともに、このコネクタ端子につながる電線がハウジング１０の後側（後述のスライダ３０が位置する側）に導出されるようになっている。
【００２１】
端子保持部１１の上下面において、その後端よりの位置には、支軸部１３が突設されるとともに、撓み片（撓み部）１４が形成されている。
【００２２】
支軸部１３は、前記各カム板２０の回動支点となるもので、詳しくは図３（ａ）（ｂ）に示すような形状を有している。すなわち、支軸部１３は、大略円柱状をなし、その先端側部分（図３では上側部分）に１８０°間隔で一対の耳部１３ａが径方向外側に突設されている。
【００２３】
撓み片１４は、その先端側部分（ハウジング１０の後側部分；図２では下側部分）がハウジング１０の内側向きに撓み変形できる形状を有している。詳しくは、図７〜図９に示すように、端子保持部１１の周縁部分にこの部分を後側（図７では下側）から切り込むスリット１８が形成され、このスリット１８よりも外側の部分が前記撓み片１４とされている。従って、この撓み片１４は、前記スリット１８の厚み分だけ内向きに撓み変形できるようになっている。この撓み片１４の外側面には、前記カム板２０を係止する（回動規制する）ための係止突起（係止部）１４ａが形成されるとともに、この係止突起１４ａよりも後端側（図７では下端側）の位置に、別の被押圧突起１４ｂが形成されている。
【００２４】
なお、図７〜図９において１５は、相手方コネクタＣ２との嵌合時に当該相手方コネクタＣ２と接触する防水用のシール部材である。
【００２５】
前記端子保持部１１とフード１２との間の領域においては、前後一対の撓み片１６が形成されている。これらの撓み片１６は、図７〜図９に示すように、フード１２の前端（同図では上端）から端子保持部１１よりも外側の領域で後方に反転する片持ち梁状をなし、その自由端（後端）が外向き（フード１２に近づく向き）に撓むことが可能となっている。そして、この撓み片１６の内側面（端子保持部１１に対向する側の面）にストッパ用突起１６ａが形成されるとともに、このストッパ用突起１６ａよりも前端側の位置に被押圧突起１６ｂが形成されている。
【００２６】
また、フード１２の後端部には、前記撓み片１６の後端部（自由端部）１６ｃを外方に露出させる切欠１７が形成され、この切欠１７を通じて撓み片１６の後端部１６ｃを押圧操作することも可能となっている。
【００２７】
各カム板２０は、薄板状をなし、カム溝（第１カム部）２１と、カム用突起（第２カム部）２２と、軸孔２３とを有している。
【００２８】
カム溝２１は、カム板２０をその板厚方向に貫通し、かつ、なだらかな曲線状をなしており、カム用突起２２はカム溝２１とほぼ対角の位置でハウジング１０の外側向きに突出している。そして、前記カム溝２１内に前記相手方コネクタＣ２のカム用ピン４４が侵入し、かつ、カム用突起２２がスライダ３０側の後記カム溝３３に嵌まり込んだ状態で、両コネクタＣ１，Ｃ２の結合時に後述のカム作用が得られるように、前記カム溝２１及びカム用突起２２の形状や位置が設定されている。
【００２９】
軸孔２３は、前記支軸部１３が嵌入される孔であり、詳しくは図３（ａ）（ｂ）に示すような形状を有している。すなわち、軸孔２３は、前記支軸部１３の両突起１３ａが侵入可能な直径をもつ円形状をなすが、カム板２０の板厚方向内側部分（図３では下側部分）には、前記両突起１３ａが侵入可能な一対の隙間２３ｂを残して円弧状の突条２３ａが軸孔２３の内周面から径方向内側に突出している。
【００３０】
従って、前記隙間２３ｂと突起１３ａとが合致する角度位置で当該隙間２３ｂに突起１３を侵入させるようにして軸孔２３内に支軸部１３を嵌入することができるとともに（図３（ａ））、その嵌入後に支軸部１３回りにカム板２０を回動させて前記突起１３ａを前記突条２３ａに乗り上げさせることにより（同図（ｂ））、支軸部１３からのカム板２０の抜けを阻止できるようになっている。すなわち、このカム板２０が支軸部１３回りに回動可能となるように当該カム板２０をハウジング１０側に取付けることができるようになっている。
【００３１】
なお、本発明において、ハウジングにカム部材を取付けるための具体的な構造は特に問わず、例えばカム部材とは別の止め輪などを用いるようにしてもよい。要はハウジングに対してカム部材が回動可能となっていればよい。
【００３２】
さらに、前記カム用突起２２の裏側には、前記ハウジング１０側の係止突起１４ａと略同形状の凹部（被係止部）２４が形成されている。そして、この凹部２４に前記突起１４ａが嵌まり込むことにより、その回動角度位置にカム板２０が係止されるようになっている。この係止角度位置は、図２に示すように、カム板２０のカム用突起２２がハウジング１０の後端（同図では下端）に丁度位置するような角度位置に設定されている。
【００３３】
スライダ３０も、前記ハウジング１０と同様、全体が例えば樹脂のように弾性をもつ絶縁材料で一体に形成されており、前記ハウジング１０をその後方から覆うカバー状をなしている。詳しくは、最も後方に位置する背壁３１と、この背壁３１の周縁から前方に延びる周壁とを一体に有しており、さらに、後者の周壁は、上下一対の平板状側壁３２Ａと、左右側壁３２Ｂとに分割されている。
【００３４】
各平板状側壁３２Ａは、その前端部がスライダ３０の内外方向に撓み変形できるように構成されており、その前端側部分に前記カム溝３３が形成されている。各カム溝３３は、左右方向に延び、図例では各平板状側壁３２Ａをその肉厚方向に貫通している。また、各平板状側壁３２Ａの前端側部分には、その内側面から内方に突出する係止解除用突起３４が形成されており、このスライダ３０を前記ハウジング１０に装着する際に各係止解除用突起３４が図９のごとく前記各撓み片１４の被押圧突起１４ｂを外側から押圧するように、各係止解除用突起３４の位置が設定されている。
【００３５】
一方、スライダ３０の左右側壁３２Ｂには、前記撓み片１６と対応する位置に、当該左右側壁３２Ｂのコーナー部分から周方向に突出する被係止突起３６が形成されている。そして、この被係止突起３６が図１０（ａ）（ｂ）に示すように前記撓み片１６のストッパ用突起１６ａに後方から突き当たることにより、その突き当たり位置よりも前方にスライダ３０が移動することが規制されるようになっている。
【００３６】
また、左右側壁３２Ｂのうちの一方には、前記ハウジング１０の各端子につながる電線群Ｄ（図４〜図６及び図１２（ｂ）参照）をスライダ３０の外側に導出するための電線逃がし溝３５が形成されている。
【００３７】
次に、このコネクタＣ１の組立要領及び組立後の相手方コネクタＣ２との結合要領を説明する。ただし、本発明にかかるコネクタの組立方法はこれに限られるものではない。
【００３８】
１）カム板２０の取付
前記図３（ａ）（ｂ）に示した要領で、カム板２０を当該カム板２０が支軸部１３回りに回動可能となるようにハウジング１０に取付ける。さらに、カム板２０の裏面の凹部２４にハウジング１０側の係止突起１４ａを嵌め込んでカム板２０を所定の回動角度位置に係止する。この係止により、従来のように前記カム板２０を指などで保持しなくてもその後の工程を円滑に行うことができる。
【００３９】
２）端子装着
電線の端末に固定された端子を各端子収容室１１ａ内に挿入し、固定する。この工程により、各端子につながる電線群Ｄ（図４〜図６）がハウジング１０から後方に延びる状態となる。この２）の工程は、１）の工程と前後してもよい。
【００４０】
３）スライダ３０の取付
ハウジング１０の外側に当該ハウジング１０の後方からスライダ３０を装着する（図４〜図６）。その装着の際、スライダ３０の両平板状側壁３２Ａは、図５に示すように外側に撓み変形してカム板２０のカム用突起２２上に乗り上げ、最終的にカム溝３３にカム用突起２２が嵌まり込む装着位置（図６）に到達する。この装着位置では、図１０に示すようにスライダ３０の被係止突起３６がハウジング１０側の撓み片１６のストッパ用突起１６ａに後方から突き当たるため、当該装着位置よりも前方にスライダ３０が移動することが規制される。
【００４１】
さらに、このスライダ３０が前記装着位置に到達した時点で、図９に示すように、当該スライダ３０に設けられた係止解除用突起３４が撓み片１４に形成された被押圧突起１４ｂを外側から押圧し、当該撓み片１４を内方へ撓ませるため、この撓み片１４に形成されている係止突起１４ａがカム板２０の凹部２４から内方に離脱する。すなわち、係止突起１４ａによるカム板２０の係止が自動的に解除されてカム板２０のカム機能が発揮され得る。
【００４２】
換言すれば、この係止解除時までカム板２０は係止突起１４ａにより回動規制されるため、当該カム板２０を指等で把持しながらスライダ３０の装着作業をする必要がなく、当該装着作業は非常に容易化される。従って、前記２）の工程でハウジング１０に装着された端子から電線群Ｄが導出されていても、スライダ３０の装着を難なく行うことができる。このように、端子装着工程の後にスライダ３０を装着することを可能にした結果、図示のようにスライダ３０を電線群Ｄのカバーとして兼用することが可能となるのである。
【００４３】
すなわち、ハウジング１０にスライダ３０が装着されることにより、コネクタＣ１が完成するとともに、当該スライダ３０が前記ハウジング１０から後方に延びる電線群Ｄ（図４〜図６）を後方から覆う状態となる。このとき、スライダ３０と電線群Ｄとの干渉は当該スライダ３０の側壁３２Ｂに設けられた電線逃がし溝３５によって回避される。
【００４４】
４）相手方コネクタＣ２との結合（図１０〜図１２）
前記スライダ３０を装着した状態で、当該スライダ３０によるカム板２０の係止（回動規制）は解除されるが、このカム板２０は、そのカム用突起２２とカム溝３３との係合によってスライダ３０側に拘束されているため、図１０に示すようにカム溝２１の開口端が前方すなわち相手方コネクタＣ２側に開口する方向を向く角度位置に保持される。
【００４５】
そこで、前記コネクタＣ１のスライダ３０を指等で把持し、前記カム溝２１の開口端に相手方コネクタＣ１のカム用ピン４４を侵入させ、かつ、コネクタＣ１の端子保持部１１とフード１２とで囲まれた空間内に相手方コネクタＣ２のフード４２を挿入するようにして、両コネクタＣ１，Ｃ２の嵌合を進める。この嵌合時の作用は次のとおりである。
【００４６】
まず、前記フード４２が前記空間内に挿入される際、このフード４２の外側面に形成された操作用突起４６が図１１に示すように撓み片１６の被押圧突起１６ｂを内側から外側に向けて押圧し、当該撓み片１６を外向きに撓み変形させるため、この撓み片１６に形成されたストッパ用突起１６ａがスライダ３０の被係止突起３６から外側へ自動的に外れ、スライダ３０の前進（ハウジング１０に対する相対的なスライド運動）が許容される状態になる。
【００４７】
そこで、この時点からそのままスライダ３０をスライド前進させると、このスライダ３０のカム溝３３とカム用突起２２とのカム作用によりカム板２０が回動を開始し、このカム板２０のカム溝２１とカム用ピン４４とのカム作用によって両コネクタＣ１，Ｃ２同士を嵌合させるための大きな嵌合力が生成される。すなわち、スライダ３０をスライドさせる操作力が前記カム作用によりコネクタ嵌合力として倍加され、低い操作力でコネクタＣ１，Ｃ２同士を嵌合させることが可能となる。
【００４８】
なお、本発明の実施形態は前記のものに限定されず、例として次のような形態をとることも可能である。
【００４９】
(1)  前記実施形態では、カム板２０の第１カム部としてカム溝２１を設け、これに係合するカム構成要素として相手方コネクタＣ２側にカム用ピン４４を設けたが、逆に、カム板２０の第１カム部としてカム板２０から突出する突出部を設け、この突出部が案内されるカム溝を相手方コネクタＣ２側に設けるようにしてもよい。同様に、カム板２０の第２カム部としてカム溝を形成し、これに嵌まり込むカム用突起をスライダ３０側に設けるといったことも可能である。
【００５０】
(2)  前記実施形態では、スライダ３０の装着時に当該スライダ３０の係止解除用突起３４が撓み片１４を押圧することにより当該撓み片１４の係止突起１４ａによるカム板２０の係止が自動的に解除されるものを示したが、例えば前記係止突起１４ａとカム板２０の凹部２４とが指等を用いて手動で係脱されるような構成にしてもよい。また、カム板２０をはじめとするカム部材の具体的な係止構造も問わず、例えばカム部材側に被係止部として突起を設け、この突起が嵌まり込む凹部をハウジング側に設けるようにしてもよいし、ハウジング側に設けた係止突起がカム部材の例えば外周面と当接することにより当該カム部材の回動を規制するようにしてもよい。
【００５１】
(3)  本発明では、スライダ３０の具体的な形状や構造も問わず、ハウジング１０に対して相対的にスライド可能となるように取付けられるものであればよい。例えば、前記背壁３１をもたない筒状のものとしてもよく、この場合には、従来と同様、スライダ３０をハウジング１０に装着した後に端子装着作業を行うことも可能である。ただし、スライダ３０の装着前に端子の装着を行うことにより、当該端子装着作業がより容易になるとともに、上述のようにスライダ３０の形状を電線群Ｄを後方から覆う形状とすることによって当該スライダ３０を電線カバーとして兼用できる利点も得られる。
【００５２】
【発明の効果】
以上のように本発明は、ハウジングとスライダとの相対的なスライド運動とカム部材のカム作用とにより相手方コネクタとの嵌合力を生成するようにしたコネクタにおいて、前記ハウジングに、前記カム部材を前記スライダと係合可能な回動角度位置に係脱可能に係止する係止部を設け、その係止状態のままスライダの装着作業ができるようにしたものであるので、前記カム作用によって低操作力でのコネクタ嵌合を可能にしながら、コネクタ全体の組立作業を容易にしてその生産効率の向上を図ることができる効果がある。
【図面の簡単な説明】
【図１】本発明の実施の形態にかかるコネクタ及びその相手方コネクタを示す斜視図である。
【図２】前記コネクタのハウジングにスライダが装着される前の状態を示す平面図である。
【図３】（ａ）は前記ハウジングの支軸部にカム板を装着する前の状態を示す破断斜視図、（ｂ）は同カム板を装着した後の状態を示す破断斜視図である。
【図４】前記ハウジングにスライダを装着する前の状態を示す断面側面図である。
【図５】前記ハウジングにスライダを装着し始めた状態を示す断面側面図である。
【図６】前記ハウジングにスライダを装着した後の状態を示す断面側面図である。
【図７】図２のＡ−Ａ線断面図である。
【図８】前記ハウジングにスライダを装着し始めた状態を示す図７相当の断面図である。
【図９】前記ハウジングにスライダを装着した後の状態を示す図７相当の断面図である。
【図１０】（ａ）は前記コネクタを相手方コネクタに嵌合する前の状態を示す断面側面図、（ｂ）は同状態を示す平面図である。
【図１１】（ａ）は前記コネクタと相手方コネクタとの嵌合を開始した状態を示す断面側面図、（ｂ）は同状態を示す平面図である。
【図１２】（ａ）は前記コネクタと相手方コネクタとの嵌合が完了した状態を示す断面側面図、（ｂ）は同状態を示す平面図である。
【符号の説明】
Ｃ１  本発明にかかるコネクタ
Ｃ２  相手方コネクタ
１０  ハウジング
１３  支軸部
１４  撓み片（撓み部）
１４ａ  係止突起（係止部）
２０  カム板（カム部材）
２１  カム溝（第１カム部）
２２  カム用突起（第２カム部）
３０  スライダ
３２Ａ  平板状側壁
３３  カム溝（カム構成要素）
３４  係止解除用突起
４４  カム用ピン（カム構成要素）
【図１】
0003659568.tif 000002
【図２】
0003659568.tif 000003
【図３】
0003659568.tif 000004
【図４】
0003659568.tif 000005
【図５】
0003659568.tif 000006
【図６】
0003659568.tif 000007
【図７】
0003659568.tif 000008
【図８】
0003659568.tif 000009
【図９】
0003659568.tif 000010
【図１０】
0003659568.tif 000011
【図１１】
0003659568.tif 000012
【図１２】
0003659568.tif 000013